(57)【要約】【課題】  仕上げ状態での外観品質が良好で、しかも、照明ムラを抑制して、輝度を向上させることが出来るメータ照明構造を提供する。【解決手段】  車両用コンビネーションメータ１０１に設けられる文字板１５を、透明の基材６の側面に、印刷層を複数層積層することによって構成すると共に、文字板１５の裏面側に設けられたＬＥＤ１１の照明光を、文字板１５の裏面側から照明して、基材６の表面側に形成された遮光用の黒色印刷層９に、一部設けられた透光スリット９ａ，９ａから透光させるメータ照明構造である。  基材６の印刷層は、文字板１５の裏面側に積層されて、印刷層のうち、最もＬＥＤ１１側の層を白色で形成すると共に、ＬＥＤ１１側の層の対向面に、反射面部１０ａを有するロアハウジング部材１０を装着する。【選択図】  図１
2005257302.tif 000002
【特許請求の範囲】
【請求項１】
メータ装置に設けられる文字板を、透明の基材の側面に、印刷層を複数層積層することによって構成すると共に、該文字板の裏面側に設けられた光源の照明光を、該文字板の裏面側から照明して、該基材の表面側に形成された遮光用の黒色印刷層に、一部設けられた透光領域から透光させるメータ照明構造であって、
前記基材の印刷層は、該文字板の裏面側に積層されて、該印刷層のうち、最も光源側の層を高反射色で形成すると共に、該光源側の層の対向面に反射面部を有するロアハウジング部材を装着することを特徴とするメータ照明構造。
【請求項２】
前記高反射色は、白色であり、前記基材の略全面に印刷されていることを特徴とする請求項１記載のメータ照明構造。
【請求項３】
前記基材の印刷層のうち、該文字板の表面側に、前記遮光用の黒色印刷層のみを形成したことを特徴とする請求項１又は２記載のメータ照明構造。
【請求項４】
前記メータ装置は、前記光源を常時点灯させるハイコントラストメータであることを特徴とする請求項１乃至３のうち何れか一項記載のメータ照明構造。
【発明の詳細な説明】
【技術分野】
【０００１】
本発明は、車両用のメータ照明構造に関し、特に、外観品質を文字板の明度ムラを低減させることが出来るメータ照明構造に関するものである。
【背景技術】
【０００２】
従来のメータ照明構造として、図２乃至図４に示すようなものが知られている（例えば、特許文献１等参照）。
【０００３】
まず、構成から説明すると、このような従来のメータ照明構造では、メータ装置としての車両用コンビネーションメータ１のハウジング２内には、車速度メータ３及びタコメータ４等の複数のメータ類を組み合わせて構成される一枚の文字板５が、設けられている。
【０００４】
この文字板５は、主に、透明の基材６の乗員室側側面である表面側側面６ａに、複数層の印刷層７〜９が、積層されている。
【０００５】
このうち、最も基材６側には、意匠用の白色印刷層７が設けられていて、次に、この白色印刷層７の表面側に積層される有色印刷層８と共に、この文字板５の意匠を構成するようにしている。
【０００６】
そして、最も、乗員室側の表面には、前記有色印刷層８の表面側に積層されて、遮光用の黒色印刷層９が形成されている。
【０００７】
また、前記文字板５の裏面側には、反射部材としてのロアハウジング部材１０に指示されて、光源としてのＬＥＤ１１が設けられている。
【０００８】
次に、この従来のメータ照明構造の作用について説明する。
【０００９】
このように構成された従来のメータ照明構造では、前記ＬＥＤ１１を点灯すると、前記文字板５内を通過した照明光が、乗員室側から視認される。
【００１０】
前記最も表面側の黒色印刷層９で覆われた部分は、この照明光を透過させない。
【００１１】
また、この黒色印刷層９に、一部設けられた透光領域としての透光スリット９ａ，９ａからは、これらの照明光が透光されるので、透過されない部分と、透過された部分との境界が、高いコントラストを有して、乗員に視認される。
【特許文献１】特許２５９５９７７号公報（図２，００１１段落乃至００１７段落）
【発明の開示】
【発明が解決しようとする課題】
【００１２】
しかしながら、このようなメータ照明構造では、図４に示すように、透明の基材６の乗員室側側面である表面側側面６ａに、複数層の印刷層７〜９が、積層されている。
【００１３】
このため、表面側側面６ａに単独で付着した状態では、さほど外観品質に影響を与えるとは思われないような微小なゴミや異物１２が、多層に前記複数層の印刷層７〜９を積層して印刷することで、これらのゴミを被覆することによって、隆起形成される凸状部分の外径寸法Ｗ１が、各印刷層７，８，９の厚みを加えて、徐々に大きな外径寸法Ｗ２，Ｗ３…となると共に、この凸状部分の高さ方向の段差Ｈも形成されてしまう。
【００１４】
従って、文字板５の完成状態では、外観品質及び、前記照明光の透過性に影響を与えて、車両用コンビネーションメータ１への組み込み後に、照明ムラを発生させてしまう虞もあった。
【００１５】
また、照明ムラを減少させるために、基材６の裏面側に網点模様の調光層を形成することも考えられるが、このような調光層を設ける構成では、輝度の高い部分の照明光を減少させて、最も輝度の低い部分に合わせることにより、照明ムラを抑制するものとなる。
【００１６】
このため、最も輝度の低い部分まで、透過される照明光の光量が、減少してしまい、輝度が低下してしまうといった問題もあった。
【００１７】
更に、図２中、破線で示すように、白色印刷層７が、印刷されている部分と印刷されていない部分との境界には、この白色印刷層７の厚みに起因して、表面側から視認出来るような輪郭線７ａが形成されてしまうといった問題もあり、外観品質を良好なものとすることは困難であった。
【００１８】
そこで、本発明は、仕上げ状態での外観品質が良好で、しかも、照明ムラを抑制して、輝度を向上させることが出来るメータ照明構造を提供することを目的としている。
【課題を解決するための手段】
【００１９】
前記目的を達成するために、請求項１の発明は、メータ装置に設けられる文字板を、透明の基材の側面に、印刷層を複数層積層することによって構成すると共に、該文字板の裏面側に設けられた光源の照明光を、該文字板の裏面側から照明して、該基材の表面側に形成された遮光用の黒色印刷層に、一部設けられた透光領域から透光させるメータ照明構造であって、前記基材の印刷層は、該文字板の裏面側に積層されて、該印刷層のうち、最も光源側の層を高反射色で形成すると共に、該光源側の層の対向面に反射面部を有するロアハウジング部材を装着するメータ照明構造を特徴としている。
【００２０】
また、請求項２に記載されたものは、前記高反射色は、白色であり、前記基材の略全面に印刷されている請求項１記載のメータ照明構造を特徴としている。
【００２１】
更に、請求項３に記載されたものは、前記基材の印刷層のうち、該文字板の表面側に、前記遮光用の黒色印刷層のみを形成した請求項１又は２記載のメータ照明構造を特徴としている。
【００２２】
そして、請求項４に記載されたものは、前記メータ装置は、前記光源を常時点灯させるハイコントラストメータである請求項１乃至３のうち何れか一項記載のメータ照明構造を特徴としている。
【発明の効果】
【００２３】
このように構成された請求項１記載のものは、前記複数層積層される印刷層が、前記文字板の裏面側に積層されているので、基材の表面側に段差は発生せず、平滑にすることが出来、仕上げ状態での外観品質が良好で、照明ムラを抑制することが出来る。
【００２４】
また、微小なゴミや異物が付着することによって、裏面側に積層された前記印刷層の外形寸法が大きくなっても、前記基材の表面側に形成された遮光用の黒色印刷層に隠れて視認されない確率が高く、外観品質を良好なものとすることが出来る。
【００２５】
そして、前記高反射色の最も光源側の層と、前記ロアハウジング部材の前記光源側の層の対向面に設けられた反射面部との間で、光源からの照明光が、数回に渡り反射される。
【００２６】
このため、前記文字板には、多方向から照明光が入って通過するので、更に、照明ムラを抑制することが出来ると共に、黒色網点模様の調光層を設けているものに比して、輝度も向上する。
【００２７】
また、請求項２に記載されたものは、前記高反射色が、前記基材の略全面に渡り、印刷された白色であるので、照明光が一定量反射されて、照明光の一定量透過される高反射色の印刷層を安価に、形成することができる。
【００２８】
更に、前記基材の裏面側の略全面に渡り、白色が印刷されているので、従来、印刷されている部分と印刷されていない部分との境界に形成されてしまう輪郭線を形成させる虞も無い。
【００２９】
また、裏面側に段差が発生しても、外観品質に影響は無い。このため、更に、前記基材の表面側の段差を発生させずに、平滑に構成出来、仕上げ状態及び組付け状態での外観品質を良好なものとすることが出来る。
【００３０】
そして、請求項３に記載されたものは、基材の印刷層のうち、該文字板の表面側に、遮光用の黒色印刷層のみが、形成されている。
【００３１】
このため、該文字板の表面側は、単層の黒色印刷層のみで構成されて、微小なゴミや異物の外径が大きくなることはなく、高さ方向の段差も、目立たない。
【００３２】
また、該文字板の裏面側でも、多層に積層される印刷層が、前記黒色印刷層が、表面側に印刷される分、積層される層数を減少させることが出来る。
【００３３】
従って、さほど外観品質に影響を与えるとは思われないような微小なゴミや異物では、外径が大きくなる比率を低下させることが出来る。
【００３４】
このため、光源からの照明光が、数回に渡り反射されて、多方向から前記文字板に入って通過するので、照明ムラが抑制されて、しかも、輝度を向上させることが出来る外観品質の良好なメータ照明構造が提供される。
【００３５】
そして、請求項４に記載されたものは、光源が常時点灯されているので、前記複数の印刷層が、基材の裏面側に設けられて、深みのある造形を呈する前記文字板の表示部分のコントラストを向上させて、更に、視認性を良好なものとすることができる。
【発明を実施するための最良の形態】
【００３６】
以下、本発明の最良の実施の形態について図面を参照して説明する。
【００３７】
なお、前記従来例と同一乃至均等な部分については、同一符号を付して説明する。
【００３８】
図１は、本実施の形態によるメータ照明構造を示している。
【００３９】
まず、構成から説明すると、このような本実施の形態のメータ照明構造では、メータ装置としての車両用コンビネーションメータ１０１のハウジング２内には、車速度メータ３及びタコメータ４等の複数のメータ類を組み合わせて構成される一枚の文字板１５が、設けられている。
【００４０】
この文字板１５は、主に、透明の基材６の乗員室側側面である表面側側面６ａに、遮光用の黒色印刷層９のみが、一層、印刷により形成されると共に、裏面側側面６ｂに、複数積層される各赤色印刷層１６，及び白色印刷層１７が、設けられて構成されている。
【００４１】
前記黒色印刷層９は、前記タコメータ４の目盛表示部４ａ，４ｂに合わせて、一部に設けられた透光領域としての遮光スリット９ａ，９ａを有している。
【００４２】
また、前記裏面側側面６ｂには、有色印刷層としての赤色印刷層１６と、白色印刷層１７とが、積層するように印刷されて設けられている。
【００４３】
このうち、前記赤色印刷層１６は、例えば、前記タコメータ４の目盛表示部４ａのレッドゾーン部を構成するように一部に印刷によって形成されている。
【００４４】
また、最も光源としてのＬＥＤ１１側の層には、この赤色印刷層１６の更に、裏面側に、高反射色として白色の塗料で構成される白色印刷層１７が設けられていて、前記基材６の裏面側６ｂの略全面に渡り、印刷されている。
【００４５】
更に、この実施の形態の車両用コンビネーションメータ１０１では、前記ＬＥＤ１１側の白色印刷層１７の対向面に、反射面部１０ａを有するロアハウジング部材１０が装着されている。
【００４６】
そして、この実施の形態の車両用コンビネーションメータ１０１は、前記ＬＥＤ１１を昼夜を問わず、常に、点灯させるいわゆる常時点灯とするハイコントラストメータとして構成されている。
【００４７】
次に、この実施の形態のメータ照明構造の作用について説明する。
【００４８】
この実施の形態のメータ照明構造では、前記複数層積層される赤色印刷層１６及び白色印刷層１７が、前記文字板１５の裏面側に積層されているので、基材６の表面側側面６ａに段差は発生せず、平滑にすることが出来、仕上げ状態での外観品質が良好で、照明ムラを抑制することが出来る。
【００４９】
また、微小なゴミや異物が付着することによって、裏面側側面６ｂに積層された前記赤色印刷層１６及び白色印刷層１７のゴミを被覆することによって形成される凸状部分の外形寸法が大きくなっても、前記基材６の表面側側面６ａに形成された遮光用の黒色印刷層９の遮光層部分に隠れて視認されない確率が高く、外観品質を良好なものとすることが出来る。
【００５０】
そして、前記高反射色の最もＬＥＤ１１側の白色印刷層１７と、前記ロアハウジング部材１０の前記ＬＥＤ１１側の白色印刷層１７の対向面に設けられた反射面部１０ａとの間で、図１中矢印に示されるように、前記ＬＥＤ１１からの照明光が、数回に渡り反射されながら、徐々に、前記白色印刷層１７内を、前記基材６方向に向けて透過する。
【００５１】
このため、前記文字板１５には、多方向から照明光が入って通過するので、更に、照明ムラを抑制することが出来ると共に、従来のように、黒色網点模様の調光層を設けているものに比して、輝度も向上する。
【００５２】
また、前記高反射色が、前記基材６の裏面側側面６ｂに略全面に渡り、印刷された白色であるので、前記照明光が一定量反射されて、しかも、この照明光が、一定量透過される高反射色の白色印刷層１７を安価に、形成することができる。
【００５３】
更に、前記基材６の裏面側側面６ｂの略全面に渡り、白色塗料が印刷されているので、従来、印刷されている部分と印刷されていない部分との境界に形成されてしまう図２中二点鎖線に示すような輪郭線７ａを形成させる虞も無い。
【００５４】
しかも、この実施の形態では、前記赤色印刷層１６の輪郭線も表面側からは、前記黒色印刷層９に隠れて見えない。
【００５５】
また、裏面側側面６ｂに、前記白色塗料及び赤色塗料が、印刷されている部分と印刷されていない部分との境界部分の段差が発生しても、外観品質に影響を与える虞が無い。
【００５６】
このため、更に、前記基材６の表面側から視認出来る段差を発生させることが無くなり、平滑に構成出来、仕上げ状態及び組付け状態での外観品質を良好なものとすることが出来る。
【００５７】
そして、基材６の複数層の印刷層のうち、文字板１５の基材６の表面側側面６ａには、遮光用の黒色印刷層９のみが、形成されている。
【００５８】
このため、文字板１５の表面側は、単層の黒色印刷層９のみで構成されて、微小なゴミや異物の外径が大きくなることはなく、高さ方向の段差も、目立たない。
【００５９】
また、この文字板１５の裏面側でも、多層に積層される前記赤色印刷層１６及び白色印刷層１７が、前記黒色印刷層９が、表面側に印刷される分、積層される層数を減少させて、２層に抑えることが出来る。
【００６０】
従って、さほど外観品質に影響を与えるとは思われないような微小なゴミや異物では、ゴミを被覆することによって形成される凸状部分の外径が大きくなる比率を低下させることが出来る。
【００６１】
このため、前記ＬＥＤ１１からの照明光が、数回に渡り、前記白色印刷層１７と、前記反射面部１０ａとの間で、反射される際にも、散乱させた照明光が、多方向から前記文字板１５に入って通過するので、照明ムラが抑制されて、しかも、輝度を低下させることなく、向上させることが出来る外観品質の良好なメータ照明構造が提供される。
【００６２】
しかも、この実施の形態では、この車両用コンビネーションメータ１０１が、前記ＬＥＤ１１を常時点灯させるハイコントラストメータとして構成されている。
【００６３】
このため、前記ＬＥＤ１１が常時点灯されているので、前記複数の赤色印刷層１６，及び白色印刷層１７が、前記基材６の裏面側側面６ｂに設けられて、深みのある造形を呈する前記文字板１５の目盛部及び数字等の表示部分のコントラストを向上させて、更に、視認性を良好なものとすることができる。
【００６４】
以上、図面を参照して、本発明の最良の実施の形態を詳述してきたが、具体的な構成は、この実施の形態に限らず、本発明の要旨を逸脱しない程度の設計的変更は、本発明に含まれる。
【００６５】
例えば、前記実施の形態では、この実施の形態の文字板５の裏面側には、従来のような拡散板が設けられていないが、特にこれに限らず、簡易な構成の拡散板を設けてもよい。この場合も、数回に渡り、反射されたＬＥＤ１１の照明光によって、照明ムラが緩和されているので、従来の拡散板に比して、構造を簡略化出来る。
【００６６】
更に、裏面側のウオーニングランプ周縁に、遮光用の黒色印刷層を施して、漏光を防止するように構成されていてもよい。
【００６７】
また、ＬＥＤ１１が、前記車両用メータコンビネーションメータ１０１のハウジング内に設けて構成されているが、特にこれに限らず、複数のＬＥＤ１１…を、前記ロアハウジング部材１０の反射面部１０ａに分散させて配置する等、どのように配置してもよく、また、光源としてＬＥＤ１１以外の例えば、バルブ等であっても良く、光源の形状、数量、及び発光性質が、特に限定されるものではない。
【００６８】
そして、前記実施の形態では、前記高反射色として、前記基材６の略全面に渡り、印刷された白色を採用しているが、特にこれに限らず、例えば、タコメータ４又は車速度メータ３等の各メータ装置の文字板１５裏面側に各々設ける等であってもよく、また、乳白色、銀色等の金属色、表面が鏡面仕上げされて、照明光を一定量反射させつつ、照明光の一定量を透過させる色彩等、高反射色印刷の形状、数量、印刷に用いる塗料の種別及び反射，透過性質が、特に限定されるものではない。
【図面の簡単な説明】
【００６９】
【図１】本発明の最良の実施の形態のメータ照明構造を示し、車両用コンビネーションメータの文字板の図２中Ａ−Ａ線に沿った位置での断面図である。
【図２】車両用コンビネーションメータの構成を説明する正面図である。
【図３】従来例のメータ照明構造で、車両用コンビネーションメータの文字板の図２中Ａ−Ａ線に沿った位置に相当する位置での断面図である。
【図４】従来例のメータ照明構造で、文字板にゴミ等が付着した様子を説明する模式的な拡大断面図である。
【符号の説明】
【００７０】
６                              基材
６ａ                            表面側側面
６ｂ                            裏面側側面
９                              （遮光用の）黒色印刷層
９ａ                            遮光スリット（遮光領域）
１０                            ロアハウジング部材
１０ａ                          反射面部
１１                            ＬＥＤ（光源）
１５                            文字板
印刷層
１６                            赤色印刷層
１７                            白色印刷層（高反射色印刷層）
【図１】
2005257302.tif 000003
【図２】
2005257302.tif 000004
【図３】
2005257302.tif 000005
【図４】
2005257302.tif 000006